(57)【要約】  本発明は防塵マスクに関する。本発明の防塵マスクは、鼻と口の周りを囲む形態のマスク本体部と、前記本体部の周縁部に外周部が接合されるリング状の接顔部と、前記本体部の内面に着脱可能に提供される定型具とを含む。特に、前記定型具は、吸気孔と排気孔を有する不透水性薄膜で、外周が前記本体部と接顔部との間の接合部分に接触し、表面に放射状に形成された複数の突出ガイドによって、前記外周の端部から前記吸気孔に連結される非接触流路が形成される。本発明の防塵マスクでは、面接によるマスク本体部のフィルターの機能損失が発生しない。そして、防塵マスクの防塵効率が従来に比べて、著しく向上する効果を奏する。【選択図】図５
2014526305.tif 000002
【特許請求の範囲】
【請求項１】
鼻と口の周りを囲む顔面部空間形態のフィルター本体部（１１）と、前記本体部の周縁部に外周部が接合されるリング状の接顔シート（１２）と、前記本体部の内面に着脱可能に提供される定型具（２０）とを含む防塵マスクにおいて、前記定型具は、
吸気孔（２１）と排気孔（２２）を有する不透水性薄膜で、
外周部分が防塵マスクの柔らかい顔面接触のために、外向きのラウンド形態に処理され、外周（２８）の端部が前記本体部（１１）と接顔シート（１２）との間の接合部分に接触し、
表面に放射状に形成された複数の突出ガイド（２３）及び前記外向きのラウンド（Ｒ）によって、前記外周（２８）の端部から前記吸気孔に連結される非接触流路（２４）が形成されることを特徴とする防塵マスク。
【請求項２】
前記ガイド（２３）は定型具（２０）の外周（２８）端部から内側に形成されることを特徴とする請求項１に記載の防塵マスク。
【請求項３】
前記ガイド（２３）は線形で、中間に規則的または不規則的な複数の間隔を置いて溝を形成して、前記流路を多様に連結させることを特徴とする請求項１に記載の防塵マスク。
【請求項４】
前記吸気孔（２１）と排気孔（２２）には空気の不必要な方向への流れを防止するチェックバルブが設置されることを特徴とする請求項１に記載の防塵マスク。
【発明の詳細な説明】
【技術分野】
【０００１】
本発明は防塵マスクに関するもので、より詳しくは、周縁部が鼻と口の周辺を囲みながら密閉させる形態の所謂「顔面部−濾過式」防塵マスクに関する。
【背景技術】
【０００２】
一般に、産業現場では粉塵、埃、ヒューム、悪臭、ガスなど作業者に有害な要素が空気中に分布している。そのため、作業者は防塵マスクを用いるが、この防塵マスクにはフィルターのみを取り替えて半永久的に用いられるものと、一回または数回使用後廃棄されるものがある。後者を「顔面部−濾過式」防塵マスクと言い、本発明の防塵マスクがこれに当る。
【０００３】
図１ａ及び図１ｂは大韓民国特許第８０７５０５号に開示された防塵マスク１とこれに挿入された定型具５を示す。開示された防塵マスク１は使用者の鼻と口の周りを囲む形態のマスク本体部２及び上記本体部２の周縁部に外周が接合されるリング状の接顔部３を含み、上記本体部２の内面には格子型リブ（ｒｉｂｓ）からなる定型具５が提供される。
【０００４】
その防塵マスク１は接顔部３によって顔面密着性が良く、定型具５によってマスク形態が比較的に良好に維持される長所がある。しかし、呼吸の時に発生する湿気が本体部２に直接接触することによって、防塵フィルターの効率が急速に低下し、さらに防塵マスク１の寿命が短くなるという問題が発生する。
【０００５】
図２ａ及び図２ｂは本出願人による大韓民国特許第９９９８６０号に開示された防塵マスク６とそれに挿入された定型具７を示す。開示された防塵マスク６は、同じく本体部２ａと接顔部３ａとを含み、上記本体部２ａの内面には薄膜型定型具７が提供される。符号７ａは上記定型具７の表面に突出されて、本体部２ａの内面と定型具７とが接触しないようにする突出ガイドである。
【０００６】
その防塵マスク６は上記定型具７の特性によって、使用者の呼吸時に発生する湿気が本体部２ａに接触しないで、上記防塵マスク１の一部の問題点が、ある程度解決されるという長所がある。
【０００７】
しかし、図示したように、図２ｂの定型具７は周縁部側に所定幅Ｗの接触バンド８が形成されており、マスク本体部２ａの中で上記バンド８に対応して接触する幅ｗだけは呼吸機能及びフィルター機能を喪失するようになる。これは図１ｂの定型具５も同じである。図示しないが、大韓民国特許第１３３８４０号に開示された防塵マスクも同じである。
【０００８】
結局、従来の防塵マスク１、６は、定型具５、７によってマスク本体部２、２ａの外形がよく維持されるという長所があるが、一方、周縁部の部分で定型具５、７と本体部２、２ａとが互いに面接する所定幅ｗ、Ｗだけ機能損失が発生するという問題があった。
【発明の概要】
【発明が解決しようとする課題】
【０００９】
本発明は上記従来の防塵マスクの問題を解決するために提案されたものである。本発明の目的は、本体部と面接しないように設計された定型具を含み、マスク本体部の機能損失が発生しないようになった防塵マスクを提供することである。
【課題を解決するための手段】
【００１０】
本発明の防塵マスクは、鼻と口の周りを囲む顔面部空間形態のフィルター本体部と、上記本体部の周縁部に外周部が接合されるリング状の接顔シートと、上記本体部の内面に着脱可能に提供される定型具とを含んで構成される。
【００１１】
特に、上記定型具は、吸気孔と排気孔とを有する不透水性薄膜で、外周端部が上記本体部と接顔部との間の接合部分に接触し、表面に放射状に形成された複数の突出ガイド及び上記外向のラウンドによって、上記外周の端部から上記吸気孔に連結される非接触流路が形成されることを特徴とする。
【００１２】
好ましくは、上記定型具の外周部分は、防塵マスクの柔らかい顔面接触のために、外向のラウンド状に処理される。また、上記ガイドは定型具の外周端部から内側に形成されるようにする。また、上記ガイドは線で、中間に規則的または不規則的な複数の間隔を置いて溝を形成して、上記流路を多様に連結する。
【００１３】
また、好ましくは、上記吸気孔と排気孔には、不必要な方向への空気流れを防止するチェックバルブが設置される。
【発明の効果】
【００１４】
本発明の防塵マスクによれば、上記定型具は単に外周がマスク本体部と接顔部との間の接合部分に接触しているだけである。言い換えれば、定型具と本体部はどこでも互いに面接しない。従って、本発明の防塵マスクでは、面接によってマスク本体部のフィルターの機能が損失されない。そこで、防塵マスクの防塵効率が従来に比べて、著しく向上される効果を奏する。
【図面の簡単な説明】
【００１５】
【図１ａ】従来の防塵マスクと挿入定型具を示す図面である。
【図１ｂ】従来の防塵マスクと挿入定型具を示す図面である。
【図２ａ】従来の他の防塵マスクと挿入定型具を示す図面である。
【図２ｂ】従来の他の防塵マスクと挿入定型具を示す図面である。
【図３】本発明による防塵マスクの斜視図である。
【図４】図３の分解図である。
【図５】図３のＡ−Ａ線に沿う断面図である。
【図６】図３に適用された定型具の平面図である。
【図７ａ】図６の定型具の変形実施例である。
【図７ｂ】図６の定型具の変形実施例である。
【図７ｃ】図６の定型具の変形実施例である。
【発明を実施するための形態】
【００１６】
以上に記載され、または記載されていない本発明の特徴と効果は、以下で添付された図面を参照して説明する本発明による防塵マスクの好ましい実施例の記載を通じて、さらに明らかになる。
【００１７】
図３によれば、本発明による防塵マスクが符号１０で表示されている。上記防塵マスク１０は、鼻と口をカバーする顔面部空間を形成しており、両側の固定用バンド１４を利用して顔面部の適正位置に配置される。本発明の防塵マスク１０は、顔面部空間を形成するフィルター本体部１１と、上記本体部１１の周縁部に外周部が接合されるリング状の接顔シート１２と、上記本体部１１の内面に提供される定型具２０とを含んで構成される。
【００１８】
上記本体部１１の両側には固定用バンド１４が連結され、本発明の防塵マスク１０は上記本体部１１及び接顔シート１２で鼻と口をカバーした状態で、上記バンド１４を頭に巻いて定位置に固定される。
【００１９】
より具体的には、上記本体部１１は通常のフィルター材料として、外部の有害空気を濾過することができるＰＰまたはＰＥ不織布などが用いられることができ、半球形、略菱形、その他の形態の顔面部空間を形成するように製作される。好ましくは、上記本体部１１はフィルター材料が複数層積層された構造である。
【００２０】
上記接顔シート１２は、ナイロン纎維やポリエステル纎維などの合成纎維織物または綿織物などの軟質織物の一側面にポリウレタンなどの軟質樹脂をラミネート処理したシート材料である。他の実施例では、ゴム、シリコーン、ウレタンなどの合成ゴム材料を用いることもできるが、顔面接触感や吸水性、柔軟性などを考慮すれば、上述したシート材料が有利であると判断される。
【００２１】
特に、上記接顔シート１２は鼻面の形態を考慮した異形のリング状に製作される。これによって互いに異なる使用者の顔面形態に柔軟に対応することができ、優れた密着性を提供することができる。
【００２２】
本発明で、上記本体部１１の周縁部と接顔シート１２の外周部は互いに接合される。接合方法として接着剤、縫製、融着などが用いられることができ、本体部１１が積層構造である場合、各フィルター層はこの時同時に接合される。図面で破線部分は、上記接合後に表と裏を裏返して生じた接合部１３である。
【００２３】
以上で、本体部１１と接顔シート１２の構造に対して詳しく説明したが、これらの構造は本発明で特別なものではない。しかし、本発明の防塵マスク１０は特別に設計されて、上記本体部１１の内面に着脱可能に提供される定型具２０を含んで構成される。
【００２４】
図４によれば、上記定型具２０は１つの吸気孔２１と排気孔２２を有する不透水性薄膜で、本体部１１の内面に着脱可能に提供される。一方、定型具２０は表面に放射状に成形された複数の突出ガイド２３を一体に含み、このガイド２３によって内側定型具２０と外側本体部１１との間に非接触空気流路２４が形成される。
【００２５】
ここで、上記定型具２０は不透水性の薄膜でよく、材料としてセルロースエステル、ポリエチレンなどのプラスチック樹脂またはゴム、シリコーンなどのゴム樹脂などを用いることができる。膜の厚さは０．３〜０．６ｍｍが良いが、本発明がこのような定型具２０の材料や厚さに限定されるのではない。
【００２６】
上記ガイド２３は線形に示しているが、複数の突起で構成されることもでき、また線形の場合、図面のように、中間に規則的または不規則的な複数の間隔を置いて溝２５を形成して、上記流路２４の連結をより多様にすることもできる。
【００２７】
図４及び図５によれば、上記定型具２０は外周２８の端部が上記本体部１１と接顔シート１２との間の接合部１３に接触することによって、本体部１１の内面に装着される。そして、上記ガイド２３によって、上記定型具２０の表面には外周２８の端部から上記吸気孔２１に連結される非接触流路２４が形成される。
【００２８】
好ましくは、上記定型具２０の外周２８部分は、図面のように、外向きのラウンドＲ形態に処理される。このラウンドＲ形態は、第一に、ラウンドＲ部分が顔面に接触することによって、防塵マスク１０の接触感及び密着性に効果があり、第二に、本体部１１と定型具２０との間の重畳または面接がなく、定型具２０の外周２８が接合部１３に接触するのに有利な効果がある。
【００２９】
このような処理がなかったら、外周２８が顔面を直接に圧迫して不快感を与える一方、顔面によく密着しない。さらに、外周２８部分で本体部１１と定型具２０との間に少しの面接触の可能性がある。このような側面で、本実施例の上記ラウンドＲは、かなり重要な意味がある。
【００３０】
上記定型具２０と本体部１１との間の面接触の可能性を無くすため、上記ガイド２３の端部３１が定型具２０の外周２８に連結するようにした方が良い。即ち、上記ガイド２３は定型具２０の外周２８の端部から内側に形成される。ただし、符号３１ａのように、上記のように形成されなくてもよい。
【００３１】
一方、上記吸気孔２１と排気孔２２には空気の不必要な方向への流れを防止するバルブ手段がそれぞれ装着される。上記バルブ手段は、定型具２０を貫通して設置され、外側の本体部１１でカバーされる吸気バルブ２６と、上記定型具２０と本体部１１を貫通して設置される排気バルブ２７とを含む。各バルブ２６、２７は一方向にのみ通過させることができる所謂チェックバルブ（ｃｈｅｃｋ−ｖａｌｖｅ）で、それぞれは吸気専用及び排気専用バルブである。
【００３２】
各バルブ２６、２７は、上記定型具２０の吸気孔２１と排気孔２２にそれぞれ固定されるベース２８ａ、２８ｂと、上記ベース２８ａ、２８ｂ上に装着される柔軟チェック板２９とを含む。吸入されるすべての空気は濾過されなければならないため、吸気バルブ２６は本体部１１でカバーされるが、排気される空気は濾過される必要がないので、排気バルブ２７は本体部１１を貫通して設置される。図面で、符号３０は排気バルブ２７の外側キャップである。
【００３３】
前述したように、本発明の防塵マスク１０は上記本体部１１及び接顔シート１２で鼻と口をカバーした状態で、上記バンド１４を頭に巻いて定位置に固定される。この時、上記定型具２０のラウンドＲによって、防塵マスク１０の顔面接触感は、とても柔らかく、顔面もよく密閉される。
【００３４】
そして、上記バルブを通じて着用者は安全に呼吸することができる。吸入時には吸気バルブ２６が開放され、排気時には排気バルブ２７が開放される。まず、吸入時に外部空気はフィルター材料である本体部１１全面を通過しながら濾過され、上記流路２４に沿って流動した後、吸入圧力で開放された吸気バルブ２６を経由して着用者の呼吸器に流入される。
【００３５】
次に、排気時に、吐出空気は上記定型具２０によって遮られて本体部１１に接触せず、単に排気バルブ２７を通じて大気に排出される。従って、呼吸によって上記本体部１１が湿る虞はなく、勿論、呼吸時に湿気によって本体部１１が損傷される虞もない。
【００３６】
もし、上記定型具２０が本体部１１に面接する部分があれば、その部分だけの呼吸損失及びフィルターの損失が発生する。従って、使用者の安全な呼吸のための空気を十分に提供することができなくなり、また本体部１１の面積全体を効率的に活用することもできなくなる。
【００３７】
本発明では上記定型具２０の外周２８が上記本体部１１と接顔シート１２との間の接合部１３に接触するように設計して、相互面接の可能性を無くし、この時、定型具２０の表面には上記外周２８の端部から上記吸気孔２１に連結される非接触流路２４を形成する複数の突出ガイド２３を一体に含むことで、このような問題を解決する。
【００３８】
図６によれば、本実施例で上記定型具２０は、１つの中央吸気孔２１と１つの一側排気孔２２を有する。ただし、本発明において定型具２０に形成された吸気孔２１と排気孔２２の配置及び数は限定されるものではない。
【００３９】
例えば、図７ａは中央吸気孔と両側排気孔、図７ｂは両側吸気孔と中央下端の排気孔、図７ｃは３つの吸気孔と１つの排気孔をそれぞれ例示しており、これらを本発明に選択的に適用することもできる。
【図１ａ】
2014526305.tif 000003
【図１ｂ】
2014526305.tif 000004
【図２ａ】
2014526305.tif 000005
【図２ｂ】
2014526305.tif 000006
【図３】
2014526305.tif 000007
【図４】
2014526305.tif 000008
【図５】
2014526305.tif 000009
【図６】
2014526305.tif 000010
【図７ａ】
2014526305.tif 000011
【図７ｂ】
2014526305.tif 000012
【図７ｃ】
2014526305.tif 000013
【国際調査報告】
2014526305.tif 000014
2014526305.tif 000015
2014526305.tif 000016
2014526305.tif 000017